(57)【要約】【課題】各レーザ光源の発光時間に伴う寿命のバラツキを抑制することができ、光走査装置としての画像品質の信頼性を向上することができるばかりでなく、レーザ光源の故障率の低減及びメンテナンス時期の延長を可能とすることができる画像形成装置を提供する。【解決手段】ビームを照射する複数個のレーザ光源の出力を変調駆動するドライバ４３と、回転多面鏡３１で偏向走査されたビームを感光体ドラム１９上に微小スポットとして結像させる結像光学系３２と、第２の速度モードにおける複数個のレーザ光源の各々の累積発光時間を複数個のレーザ光源に対応して記憶するＨＤＤ４５と、ＨＤＤ４５に記憶された累積発光時間を比較して第２速度モードにおける複数のレーザ光源の各々の累積発光時間が等しくなるように第２速度モードで使用する複数のレーザ光源を選択する光源選択制御部と、を備えている。【選択図】      図２
2010012615.tif 000002
【特許請求の範囲】
【請求項１】
画像情報に基づいてビームを照射する複数個のレーザ光源と、該複数個のレーザ光源の出力を変調駆動するドライバと、前記複数個のレーザ光源から照射された複数のビームを同一面により主走査方向に偏向走査させる回転多面鏡と、該回転多面鏡で偏向走査されたビームを静電潜像担持体上に微小スポットとして結像させる結像光学系と、を備え、
第１の速度で副走査方向に移動する前記静電潜像担持体上に前記複数個のレーザ光源を全て使用する第１の速度モードと、画像形成処理時の記録密度は前記第１の速度モードと同じとしたまま前記第１の速度の略半分の速度となる第２の速度で副走査方向に移動する前記静電潜像担持体上に前記複数個のレーザ光源のうちの１個を選択的に使用する第２の速度モードと、の少なくとも２つの速度モードに対して、
前記第２の速度モードにおける前記複数個のレーザ光源の各々の累積発光時間を前記複数個のレーザ光源に対応して記憶する記憶部と、該記憶部に記憶された累積発光時間を比較して前記第２速度モードにおける前記複数のレーザ光源の各々の累積発光時間が等しくなるように前記第２速度モードで使用する前記複数のレーザ光源を選択する光源選択制御部と、を備えていることとを特徴とする画像形成装置。
【請求項２】
画像情報に基づいてビームを照射する偶数個のレーザ光源と、該偶数個のレーザ光源の出力を変調駆動するドライバと、前記偶数個のレーザ光源から照射された複数のビームを同一面により主走査方向に偏向走査させる回転多面鏡と、該回転多面鏡で偏向走査されたビームを静電潜像担持体上に微小スポットとして結像させる結像光学系と、を備え、
第１の速度で副走査方向に移動する前記静電潜像担持体上に前記偶数個のレーザ光源を全て使用する第１の速度モードと、画像形成処理時の記録密度は前記第１の速度モードと同じとしたまま前記第１の速度の略半分の速度となる第２の速度で副走査方向に移動する前記静電潜像担持体上に前記偶数個のレーザ光源のうちの半分数を選択的に使用する第２の速度モードと、の少なくとも２つの速度モードに対して、
前記第２の速度モードにおける前記偶数個のレーザ光源の各々の累積印字率を前記複数個のレーザ光源に対応して記憶する記憶部と、該記憶部に記憶された累積印字率を比較して前記第２速度モードにおける前記複数のレーザ光源の各々の累積印字率が等しくなるように前記第２速度モードで使用する前記複数のレーザ光源を選択する光源選択制御部と、を備えていることとを特徴とする画像形成装置。
【請求項３】
前記光源選択制御部は、一連の画像形成処理が終了した際に前記記憶部に記憶された累積発光時間若しくは累積印字率を比較した後、次の前記第２速度モードでの画像形成処理が開始される際に使用する前記複数のレーザ光源を選択することを特徴とする請求項１又は請求項２に記載の画像形成装置。
【請求項４】
前記光源選択制御部は、画像形成装置本体がエージングモードを開始した際に前記記憶部に記憶された累積発光時間若しくは累積印字率を比較した後、次の前記第２速度モードでの画像形成処理が開始される際に使用する前記複数のレーザ光源を選択することを特徴とする請求項１乃至請求項３の何れかに記載の画像形成装置。
【発明の詳細な説明】
【技術分野】
【０００１】
本発明は、複写機・プリンタ・ファクシミリ或いはこれらを機能的に備えた複合機等の電子写真方式の画像形成装置、特に、画像情報に基づいてビームを照射する複数個のレーザ光源と、該複数個のレーザ光源の出力を変調駆動するドライバと、前記複数個のレーザ光源から照射された複数のビームを同一面により主走査方向に偏向走査させる回転多面鏡と、該回転多面鏡で偏向走査されたビームを静電潜像担持体上に微小スポットとして結像させる結像光学系と、を備えた光走査装置を搭載した画像形成装置に関する。
【背景技術】
【０００２】
従来から、複写機・プリンタ・ファクシミリ或いはこれらを機能的に備えた複合機等の電子写真方式の画像形成装置には光走査装置が搭載され、この光走査装置の光源から出射されたビーム光束を感光体表面（被走査面）に照射することにより、感光体表面に形成された静電潜像をトナーによって顕在化し、そのトナー像を転写紙上に転写・定着することにより画像形成処理が実現されている。
【０００３】
この際、光走査装置は、画像情報に基づいてビームを照射する複数個のレーザ光源と、この複数個のレーザ光源の出力を変調駆動するドライバと、複数個のレーザ光源から照射された複数のビームを同一面により主走査方向に偏向走査させる回転多面鏡と、この回転多面鏡で偏向走査されたビームを静電潜像担持体上に微小スポットとして結像させる結像光学系と、を備えたものが周知である。
【０００４】
即ち、複数個のレーザ光源を用い、各レーザ光源から照射されたビームを共通した回転多面鏡で偏向走査し、共通した静電潜像担持体上にミクロン単位の微笑スポットとして掃引することにより、画像形成処理の高速化を実現しており、そのビーム数は、２ビーム、４ビーム、８ビーム等の偶数個を用いたものが知られている。
【０００５】
一方、これら複数ビームを用いた画像形成処理において、例えば、転写紙に普通紙を用いた場合の画像定着性等の画像品質は高速処理で行っても問題は発生しないが、厚紙やＯＨＰ用シート等を転写紙として用いた場合の画像定着性等の画像品質は高速処理で行うと損なわれ易いという問題が生じていた。
【０００６】
そこで、このような転写紙の種類等に起因する画像品質を維持するために、第１の速度で副走査方向に移動する静電潜像担持体上に複数個のレーザ光源を全て使用する第１の速度モードと、画像形成処理時の記録密度は第１の速度モードと同じとしたまま第１の速度の略半分の速度となる第２の速度で副走査方向に移動する静電潜像担持体上に複数個（偶数個）のレーザ光源のうちの一部の光源を選択的に使用する第２の速度モードと、の少なくとも２つの速度モードを有し、画像品質が損なわれると想定される転写紙の種類等の場合には画像形成処理の速度を半減した第２の速度モードで処理することが考えられる。
【０００７】
この場合、光走査装置の回転多面鏡は回転数を半減し、更にレーザ光源から照射されるレーザ出力も半減する措置が採用される。
【０００８】
しかしながら、回転多面鏡の回転数を半減させると、モータ等の駆動装置の回転安定性は全速で回転するモードとの兼ね合いから非常に難易度が高く、高性能な駆動装置の採用により部品コストが高騰してしまうという問題が生じていた。
【０００９】
また、レーザ光源の出力を半減（又は多段階）させるには、レーザ光源の駆動回路（ドライバ）も高性能化が要求され、部品コストが高騰してしまうという問題が生じていた。
【００１０】
そこで、このような課題に対し、例えば、第１の速度モードである高速画像形成処理時に４ビームで４ライン同時書き込みを実施する画像形成装置において、第２の速度モードに時は発光ビーム数を２ビームとすることで、回転多面鏡の駆動装置の回転速度は全速時と同等する技術が知られている（例えば、特許文献１参照）。
【００１１】
しかしながら、例えば、高速画像形成処理時には４ビームを使用し、第２の速度モード時には単純に２ビームとしただけでは、他の２個のレーザ光源は未使用となる。
【００１２】
一般に、このようなレーザ光源に使用される半導体レーザやＬＥＤは、発光総時間が部品寿命と相対的に関係しているため、発光機会が多い２個のレーザ光源と発光機会が少ない他の２個のレーザ光源とでは、寿命に差異ができ、メンテナンス時期の早期化や異常画像の発生確率が高くなってしまう。
【００１３】
尚、第２の速度モードで画像形成処理した全体の枚数と各レーザ光源が印字した枚数とを記憶し、各レーザ光源で印字した枚数が同じになるよう発光するレーザ光源を選択する技術（例えば、特許文献２参照）や、マルチ発光レーザ光源を速度変化に合わせて静電潜像作成用と除電光源とに分けて使うことで未発光状態にならないようにする技術（例えば、特許文献３参照）も知られている。
【特許文献１】特開２００１−１７１１６４号公報
【特許文献２】特開２００３−１３６７８０号公報
【特許文献３】特開２００７−１２１５３６号公報
【発明の開示】
【発明が解決しようとする課題】
【００１４】
ところが、上記の如く構成された画像形成装置にあっては、例えば、特許文献２に開示の技術では、各レーザ光源に対する印字枚数は平均的となるものの、実際の各レーザ光源毎の発光時間に相当する印字データ（画像データ）はデータ毎に異なるため、印字枚数＝レーザ光源の累積発光時間とはならず、レーザ光源によって寿命にばらつきが発生するという問題は解決されていないのが実情であった。
【００１５】
また、特許文献３に開示の技術では、未発光状態を回避し、発光パターンを工夫することでマルチ発光レーザ光源の発光時間が均一になるようにしているが、例えば、印字率の低い画像形成処理が大量に続く場合、除電光として使用する際のイレース光量とイレース時間とを合わせると、除電機能が満足できないという懸念がある。
【００１６】
そこで、本発明は、上記事情を考慮し、複数個のレーザ光源に対する駆動機会の均一化に貢献し得て、各レーザ光源の発光時間に伴う寿命のバラツキを抑制することができ、光走査装置としての画像品質の信頼性を向上することができるばかりでなく、レーザ光源の故障率の低減及びメンテナンス時期の延長を可能とすることができる画像形成装置を提供することを目的とする。
【課題を解決するための手段】
【００１７】
本発明の画像形成装置は、画像情報に基づいてビームを照射する複数個のレーザ光源と、該複数個のレーザ光源の出力を変調駆動するドライバと、前記複数個のレーザ光源から照射された複数のビームを同一面により主走査方向に偏向走査させる回転多面鏡と、該回転多面鏡で偏向走査されたビームを静電潜像担持体上に微小スポットとして結像させる結像光学系と、を備え、第１の速度で副走査方向に移動する前記静電潜像担持体上に前記複数個のレーザ光源を全て使用する第１の速度モードと、画像形成処理時の記録密度は前記第１の速度モードと同じとしたまま前記第１の速度の略半分の速度となる第２の速度で副走査方向に移動する前記静電潜像担持体上に前記複数個のレーザ光源のうちの１個を選択的に使用する第２の速度モードと、の少なくとも２つの速度モードに対して、前記第２の速度モードにおける前記複数個のレーザ光源の各々の累積発光時間を前記複数個のレーザ光源に対応して記憶する記憶部と、該記憶部に記憶された累積発光時間を比較して前記第２速度モードにおける前記複数のレーザ光源の各々の累積発光時間が等しくなるように前記第２速度モードで使用する前記複数のレーザ光源を選択する光源選択制御部と、を備えていることとを特徴とする。
【００１８】
また、本発明の画像形成装置は、画像情報に基づいてビームを照射する偶数個のレーザ光源と、該偶数個のレーザ光源の出力を変調駆動するドライバと、前記偶数個のレーザ光源から照射された複数のビームを同一面により主走査方向に偏向走査させる回転多面鏡と、該回転多面鏡で偏向走査されたビームを静電潜像担持体上に微小スポットとして結像させる結像光学系と、を備え、
第１の速度で副走査方向に移動する前記静電潜像担持体上に前記偶数個のレーザ光源を全て使用する第１の速度モードと、画像形成処理時の記録密度は前記第１の速度モードと同じとしたまま前記第１の速度の略半分の速度となる第２の速度で副走査方向に移動する前記静電潜像担持体上に前記偶数個のレーザ光源のうちの半分数を選択的に使用する第２の速度モードと、の少なくとも２つの速度モードに対して、前記第２の速度モードにおける前記偶数個のレーザ光源の各々の累積印字率を前記複数個のレーザ光源に対応して記憶する記憶部と、該記憶部に記憶された累積印字率を比較して前記第２速度モードにおける前記複数のレーザ光源の各々の累積印字率が等しくなるように前記第２速度モードで使用する前記複数のレーザ光源を選択する光源選択制御部と、を備えていることとを特徴とする。
【００１９】
この際、前記光源選択制御部は、一連の画像形成処理が終了した際に前記記憶部に記憶された累積発光時間若しくは累積印字率を比較した後、次の前記第２速度モードでの画像形成処理が開始される際に使用する前記複数のレーザ光源を選択するのが好ましい。
【００２０】
また、前記光源選択制御部は、画像形成装置本体がエージングモードを開始した際に前記記憶部に記憶された累積発光時間若しくは累積印字率を比較した後、次の前記第２速度モードでの画像形成処理が開始される際に使用する前記複数のレーザ光源を選択することも可能である。
【発明の効果】
【００２１】
本発明は、複数個のレーザ光源に対する駆動機会の均一化に貢献し得て、各レーザ光源の発光時間に伴う寿命のバラツキを抑制することができ、光走査装置としての画像品質の信頼性を向上することができるばかりでなく、レーザ光源の故障率の低減及びメンテナンス時期の延長を可能とすることができる。
【発明を実施するための最良の形態】
【００２２】
次に、本発明の一実施形態に係る画像形成装置について、図面を参照して説明する。
【００２３】
図１は本発明の一実施形態に係る光走査装置を搭載した画像形成装置の説明図、図２は本発明の一実施形態に係る光走査装置の説明図である。
【００２４】
（画像形成装置の全体構成）
図１に示すように、本発明の一実施形態に係る画像形成装置としてのプリンタ１は、画像形成装置本体としてのプリンタ本体２の内部にスライド変位可能に格納された給紙カセット３と、給紙カセット３の収納空間４内に収納した転写紙（図示せず）を取り出す給紙部５と、プリンタ本体２の正面に配置した手差トレイ６と、手差トレイ６にセットした転写紙（図示せず）を取り出す手差給紙部７と、各給紙部５，７から供給された転写紙を搬送する搬送経路８と、搬送経路８のシート搬送方向上流側で各給紙部５，７の合流部よりもシート搬送方向下流側に配置したレジストローラ対９と、レジストローラ対９よりも搬送経路８のシート搬送方向下流側に配置されてトナーコンテナ１０から供給されたトナー等の現像剤により転写紙の一面に転写像を形成する画像形成部１１と、画像形成部１１よりも搬送経路８のシート搬送方向下流側に配置されて転写紙の一面に形成されたトナー画像を定着する定着装置１２と、定着装置１２を通過した転写紙の他面に転写像を形成する場合に搬送経路８の定着装置１２よりも搬送経路下流側からレジストローラ対９よりも搬送経路８の搬送経路上流側へと引き戻す反転経路１３と、搬送経路８の終端部に設けられた排紙部１４とを備えている。
【００２５】
（トナーコンテナ１０の構成）
トナーコンテナ１０は、コンテナ本体１５の内部に補給用トナーが収納されている。また、その補給用トナーは、可撓性樹脂材料等からなるパドル１６によって攪拌されると共に、スパイラル１７によって転写紙幅方向（図１の紙面奥行き方向）に搬送された後、その所定位置で画像形成部１１の現像デバイス１８へと供給される。
【００２６】
（現像デバイス１８の構成）
現像デバイス１８は、トナーコンテナ１０から供給された補給用トナーを攪拌しつつ画像形成部１１の感光体ドラム１９に供給するもので、その内部には隔壁２０によって仕切られた状態で一対のスパイラル２１，２２が配置されている。
【００２７】
隔壁２０の両端（図１の紙面奥行き方向）は各スパイラル２１，２２の両端間を連通するように開放しており、スパイラル１７の下方に設けられたスパイラル２１により現像デバイス１８の一方側へ向けてトナーを攪拌搬送（往路）した後に、この一方側の隔壁開放端で折り返されてスパイラル２２により現像デバイス１８の他方側へと向けて補給用トナーを攪拌搬送（復路）し、さらにこの他方側の隔壁開放端で再び折り返される循環搬送経路が構成されている。また、スパイラル２２には、感光体ドラム１９に接触して補給用トナーを供給する現像ローラ２３が配置されている。
【００２８】
現像ローラ２３は、その周面が感光体ドラム１９の周面と対向するように配置されている。従って、現像ローラ２３に搬送されつつある補給用トナーは、現像ローラ２３を介して感光体ドラム１９の周面に供給され、これによって感光体ドラム１９の周面にトナー像が形成されることになる。この際、現像ローラ（マグネットローラ）２３は、感光体ドラム１９にトナーを凝集しないよう適度に攪拌しつつ供給する。
【００２９】
（画像形成部１１の構成）
画像形成部１１は、感光体ドラム１９の周囲に、感光体ドラム１９の回転方向（図示時計回り方向）に沿う画像形成プロセス順に、帯電デバイス２４・露光デバイス２５・現像デバイス１８（現像ローラ２３）・転写デバイス２６・クリーニングデバイス２７・除電デバイス２８を備えている。
【００３０】
これにより、画像形成部１１は、感光体ドラム１９が図示しない駆動手段によって所定のプロセススピード（周速度）で回転駆動され、その表面が帯電デバイス２４によって所定の極性・電位に均一に帯電される。
【００３１】
帯電後の感光体ドラム１９は、その表面に露光デバイス２５によって静電潜像が形成される。ここで、露光デバイス２５は、パーソナルコンピュータ等から出力された印刷データに含まれる画像データに基づいて、感光体ドラム１９の表面にレーザ光Ｐを照射し、感光体ドラム１９の表面のレーザ光照射部分の電荷を除去して画像情報に応じた静電潜像を形成する。
【００３２】
そして、感光体ドラム１９の表面に形成された静電潜像は、現像デバイス１８によってトナーコンテナ１０から供給された電荷を有するトナーが静電的に付着されて未定着トナー像として現像される。さらに、その未定着トナー像は、転写デバイス２６によって転写紙に転写像として転写される。
【００３３】
この際、転写紙に未定着トナー像を転写した感光体ドラム１９は、クリーニングデバイス２７によって残留トナー等の除去処理が行われた後、次の画像形成時の帯電のために除電デバイス２８により除電処理が施される。
【００３４】
（露光デバイス２５の構成）
光走査装置としての露光デバイス２５は、図２に示すように、ビーム光束を放射するレーザダイオード等の複数のレーザ光源（図示せず）を保持した光源ユニット２９と、光源ユニット２９の各レーザ光源から照射されたビーム光束を主走査方向に長く略線状に集光させるように副走査方向にのみ正のパワーを持つシリンドリカルレンズ３０と、シリンドリカルレンズ３０からのビーム光束を偏向する偏向装置としての回転多面鏡３１と、回転多面鏡３１によって偏向走査したビーム光束Ｐを被走査面としての感光体ドラム１９の表面に結像する結像光学系３２と、回転多面鏡３１によって偏向走査したビーム光束の一部を利用して走査同期を検出する受光素子３３へと導く検出光学系３４とを備えている。
【００３５】
結像光学系３２は、回転多面鏡３１に近接配置されて副走査方向のパワーが強い負の樹脂レンズ３５と、回転多面鏡３１に離間配置されて副走査方向のパワーが強い正の樹脂レンズ３６と、樹脂レンズ３６を透過したビーム光束Ｐを感光体ドラム１９に向けて反射する斜設ミラー３７と、を備えている。尚、本実施の形態においては、樹脂レンズ３５と樹脂レンズ３６とによって一対のｆθレンズを構成している。
【００３６】
検出光学系３４は、回転多面鏡３１の鏡面に入射したビーム光束の一部を反射するように有効画像領域の外側に配置した導光ミラー３８と、検出光学系３４の光路上で感光体ドラム１９と共役関係な位置に配備された受光素子３３と、を備えている。
【００３７】
光源ユニット２９から放射されて回転多面鏡３１で偏向されたビーム光束は、結像光学系３２によって走査領域へ向かって偏向するが、走査領域へ向かう途上においてｆθレンズを構成する一方の樹脂レンズ３５を介して導光ミラー３８で反射され、受光素子３３に入射する。
【００３８】
一方、プリンタ１は、第１の速度で副走査方向に移動する感光体ドラム１９上に複数個のレーザ光源を全て使用する第１の速度モードと、画像形成処理時の記録密度は第１の速度モードと同じとしたまま第１の速度の略半分の速度となる第２の速度で副走査方向に移動する感光体ドラム１９上に複数個のレーザ光源のうちの１個を選択的に使用する第２の速度モードと、の少なくとも２つの速度モードを備え、図示を略する操作パネルを用いたモード指定操作（転写紙種類指定（自動検出）操作等を含む）やパーソナルコンピュータから出力される印刷データに含まれるモード指定によって、各モードが切り替えられる。
【００３９】
また、これら各モードに関する制御情報は、画像形成処理全般に関する制御情報と共にＲＯＭ４０に格納され、制御回路（ＣＰＵ）４１によって制御される。
【００４０】
また、制御回路４１は、例えば、パーソナルコンピュータから出力された印刷データに含まれる画像データを画像解析部４２で解析させると共に、上述した速度モードに関連付けてどのレーザ光源を使用するかを含めて光源ユニット２９のドライバ４３を制御する。
【００４１】
具体的には、パーソナルコンピュータから出力された印刷データにより、第１の速度モードが指定されていた場合には、その速度モードを含めた印刷データ（例えば、画像形成処理部数や拡大／縮小率等）からＲＯＭ４０に格納された制御情報を制御回路４１が呼び出し、モード等の印刷データ等に応じた画像形成処理制御情報をＲＡＭ４４に記憶させると共に、画像解析部４２で解析された画像データに基づいて光源ユニット２９の全レーザ光源を発光制御するようにドライバ４３を制御する。尚、この際の画像データはＨＤＤ４５に格納される。
【００４２】
一方、パーソナルコンピュータから出力された印刷データにより、第２の速度モードが指定されていた場合には、その速度モードを含めた印刷データ（例えば、画像形成処理部数や拡大／縮小率等）からＲＯＭ４０に格納された制御情報を制御回路４１が呼び出し、モード等の印刷データ等に応じた画像形成処理制御情報をＲＡＭ４４に記憶させると共に、画像解析部４２で解析された画像データに基づいて光源ユニット２９のレーザ光源のうち使用するレーザ光源を選択すると同時に発光制御するようにドライバ４３を制御する。
【００４３】
この際、制御回路４１は、指定したレーザ光源に対応付けしてドライバ４３の駆動時間、即ち、各レーザ光源の累積発光時間をＨＤＤ４５に格納する。
【００４４】
尚、制御回路４１は、印刷データに含まれるページ数や部数と画像解析部４２で解析された画像データに基づいて印字率を算出し、選択したレーザ光源と対応付けした累積印字率をＨＤＤ４５に格納しても良い。
【００４５】
そして、制御回路４１は、例えば、一連の画像形成処理が終了した際にＨＤＤ４５に記憶した各レーザ光源毎の累積発光時間若しくは累積印字率を比較した後、ＨＤＤ４５に記憶された累積発光時間若しくは累積印字率が複数のレーザ光源の各々で等しくなるように次の第２速度モードでの画像形成処理が開始される際に使用するレーザ光源を選択する。
【００４６】
また、制御回路４１は、プリンタ１がエージングモードを開始した際にＨＤＤ４５に記憶した各レーザ光源毎の累積発光時間若しくは累積印字率を比較した後、ＨＤＤ４５に記憶された累積発光時間若しくは累積印字率が複数のレーザ光源の各々で等しくなるように次の第２速度モードでの画像形成処理が開始される際に使用するレーザ光源を選択する。
【００４７】
尚、上述したプリンタ１のエージングモードの起動タイミングは、図１に示したモノクロ機とは異なるカラー機の場合、ジョブの途中でもカラーキャリブレーションが自動で入る設定になっていることが多いことから、そのタイミングでレーザ光源の選択制御を行うことができる。
【００４８】
また、光源ユニット２９に搭載される複数のレーザ光源は、２個以上（偶数個）であれば、その個数は限定されるものではない。
【００４９】
この際、例えば、４個のレーザ光源（４ビーム）がある場合は、半速モード（第２の速度モード）におけるレーザ光源は、任意の２個を用いると共に、その２個のレーザ光源の組み合わせ、即ち、半速ユニット光源として累積発光時間若しくは累積印字率をＨＤＤ４５に記憶し、各組み合わせ単位（半速ユニット光源単位）で選択制御しても良いし、個々のレーザ光源毎で最小累積発光時間若しくは最小累積印字率の２個を選択して組み合わせても良い。
【００５０】
尚、例えば、８ビームの場合等においても、使用する４個のレーザ光源を組み合わせ又は単独で選択制御することが可能である。
【図面の簡単な説明】
【００５１】
【図１】本発明の一実施形態に係る光走査装置を搭載した画像形成装置の説明図である。
【図２】本発明の一実施形態に係る光走査装置の光学説明図である。
【符号の説明】
【００５２】
１９…感光体ドラム（静電潜像担持体）
２９…光源ユニット（複数のレーザ光源）
３１…回転多面鏡
４１…制御回路（光源選択制御部）
４３…ドライバ
４５…ＨＤＤ（記憶部）
【図１】
2010012615.tif 000003
【図２】
2010012615.tif 000004